(57)【要約】【課題】電源設置場所により各部の設置に制限を与えず、停電時にも監視、および異常警報の発信が可能な監視コントローラを提供する。【解決手段】通常状態において、切替回路３０２は、電源コネクタ３０５の接続先の電源よりノイズフィルタ３０４、スイッチング電源部３０３を介して電力を接点ユニット１１へ供給し、１−ＷＩＲＥ２０１のＤＣ５Ｖライン２０１ａとＧＮＤライン２０１ｃを介して、センササーバ１０、認証キーソケット１２、および温湿度センサ１８に電力を供給する。また、充電回路３０１へ電力を供給し電池３００を充電する。停電等で電源コネクタ３０５に電力が供給されない状態において、切替回路３０２は、電池３００より電力を接点ユニット１１へ供給し、１−ＷＩＲＥ２０１のＤＣ５Ｖライン２０１ａとＧＮＤライン２０１ｃを介して、センササーバ１０、認証キーソケット１２、および温湿度センサ１８に供給する。【選択図】図１
2007293661.tif 000002
【特許請求の範囲】
【請求項１】
各部を統括して制御可能で外部と通信可能なセンササーバと、接点センサおよび機器の電源を制御可能なＩ／Ｏ部とＤＣ電源を供給可能な電源回路と充電可能な電池と前記電池を充電する充電回路と給電状態および充電状態を制御する切替回路とを有するバックアップ電源と、認証操作によって監視状態を切り替え可能な認証部と、温度および湿度を測定可能なセンサとを有する監視コントローラであって、
電力供給および情報通信可能なワイヤで接続された前記センササーバと前記認証部と前記センサに対し、通常は前記電源回路より前記ワイヤを介して電力を供給し、停電時には前記バックアップ電源内の前記電池より前記ワイヤを介して電力供給を行うよう前記切替回路により切り替える電力バックアップ手段と、
前記切替回路から前記センササーバへ停電状態であることを知らせるコマンドを送信し、前記コマンドを受けて前記センササーバが外部へメッセージを送信する送信手段とを有することを特徴とする監視コントローラ。
【請求項２】
各部を統括して制御可能で外部と通信可能なセンササーバと、接点センサおよび機器の電源を制御可能なＩ／Ｏ部と、ＤＣ電源を供給可能な電源回路と充電可能な電池と前記電池を充電する充電回路と給電状態および充電状態を制御する切替回路とを有するバックアップ電源と、認証操作によって監視状態を切り替え可能な認証部と、温度および湿度を測定可能なセンサとを有する監視コントローラであって、
電力供給および情報通信可能なワイヤで接続された前記センササーバと前記Ｉ／Ｏ部と前記認証部と前記センサに対し、通常は前記電源回路より前記ワイヤを介して電力を供給し、停電時には前記バックアップ電源内の前記電池より前記ワイヤを介して電力供給を行うよう前記切替回路により切り替える電力バックアップ手段と、
前記切替回路から前記センササーバへ停電状態であることを知らせるコマンドを送信し、前記コマンドを受けて前記センササーバが外部へメッセージを送信する送信手段とを有することを特徴とする監視コントローラ。
【請求項３】
各部を統括して制御可能で外部と通信可能なセンササーバと、接点センサおよび機器の電源を制御可能なＩ／Ｏ部と充電可能な電池と前記電池を充電する充電回路と給電状態および充電状態を制御する切替回路とを有する複数のバックアップ電源と、ＤＣ電源を供給可能な電源回路と、認証操作によって監視状態を切り替え可能な認証部と、温度および湿度を測定可能なセンサとを有する監視コントローラであって、
電力供給および情報通信可能なワイヤで接続された前記センササーバと前記複数のバックアップ電源と前記認証部と前記センサに対し、通常は前記電源回路が接続された装置より前記ワイヤを介して電力供給し、停電時には前記複数のバックアップ電源内の前記電池より前記ワイヤを介して電力供給を行うよう前記切替回路により切り替える電力バックアップ手段と、
前記切替回路から前記センササーバへ停電状態であることを知らせるコマンドを送信し、前記コマンドを受けて前記センササーバが外部へメッセージを送信する送信手段とを有することを特徴とする監視コントローラ。
【請求項４】
前記複数のバックアップ電源は、前記切替回路により並列に接続されることを特徴とする請求項３に記載の監視コントローラ。
【発明の詳細な説明】
【技術分野】
【０００１】
本発明は、センサにより温度、湿度、音声および接点動作を監視する監視コントローラに関し、特にバックアップ電源を有する監視コントローラに関する。
【背景技術】
【０００２】
従来の技術として、複数のセンサを統括して管理し、各センサからの情報に基づいて監視状況を把握する監視コントローラがある（例えば、非特許文献１）。
【０００３】
この監視コントローラは、センササーバがシステムを統括管理し、センササーバに接続された認証キーソケットによって監視の開始と終了を制御可能で、Ｉ／Ｏとしての接点ユニットを介してセンササーバに接続された複数のセンサにより接点の制御、また温湿度センサーにより温度、湿度等の監視ができる。各部へはスイッチング電源により電力供給され、情報記憶部にはバックアップ用の二次電池が設置される。
【非特許文献１】センサーサーバ、［ｏｎｌｉｎｅ］、三洋通信エンジニアリング株式会社、［平成１８年４月１３日検索］、インターネット＜ＵＲＬ：http://www.sanyo-ste.co.jp/sensorserver.html＞
【発明の開示】
【発明が解決しようとする課題】
【０００４】
しかし、従来の監視コントローラによると、１つのスイッチング電源より各部に枝分かれ状に導線が配されることで電力が供給され、導線の形状により各部の設置に制限が生じるという問題がある。また、設置されている二次電池は、揮発性メモリを使用した情報記憶部のデータを保持するためのバックアップ電源であり、他には電力を供給できないため、停電時等で各部に電力供給されない場合は監視ができないという問題がある。また、停電の場合は外部の通信網が機能しなくなるため、停電であることを外部に送信することができないという問題がある。
【０００５】
従って、本発明の目的は、電源設置場所により各部の設置に制限を与えず、停電時にも監視、および異常警報の発信が可能な監視コントローラを提供することにある。
【課題を解決するための手段】
【０００６】
（１）本発明は上記目的を達成するため、各部を統括して制御可能で外部と通信可能なセンササーバと、接点センサおよび機器の電源を制御可能なＩ／Ｏ部とＤＣ電源を供給可能な電源回路と充電可能な電池と前記電池を充電する充電回路と給電状態および充電状態を制御する切替回路とを有するバックアップ電源と、認証操作によって監視状態を切り替え可能な認証部と、温度および湿度を測定可能なセンサとを有する監視コントローラであって、電力供給および情報通信可能なワイヤで接続された前記センササーバと前記認証部と前記センサに対し、通常は前記電源回路より前記ワイヤを介して電力を供給し、停電時には前記バックアップ電源内の前記電池より前記ワイヤを介して電力供給を行うよう前記切替回路により切り替える電力バックアップ手段と、前記切替回路から前記センササーバへ停電状態であることを知らせるコマンドを送信し、前記コマンドを受けて前記センササーバが外部へメッセージを送信する送信手段とを有することを特徴とする監視コントローラを提供する。
【０００７】
このような構成によれば、バックアップ電源よりワイヤを介して電源が供給され、バックアップ電源内にＩ／Ｏ部を設けたため、各部の配置自由度が向上するだけでなく、停電時に電池により監視状態を継続でき、かつ外部への警報の発信が可能となる。
【０００８】
（２）また、本発明は上記目的を達成するため、各部を統括して制御可能で外部と通信可能なセンササーバと、接点センサおよび機器の電源を制御可能なＩ／Ｏ部と、ＤＣ電源を供給可能な電源回路と充電可能な電池と前記電池を充電する充電回路と給電状態および充電状態を制御する切替回路とを有するバックアップ電源と、認証操作によって監視状態を切り替え可能な認証部と、温度および湿度を測定可能なセンサとを有する監視コントローラであって、電力供給および情報通信可能なワイヤで接続された前記センササーバと前記Ｉ／Ｏ部と前記認証部と前記センサに対し、通常は前記電源回路より前記ワイヤを介して電力を供給し、停電時には前記バックアップ電源内の前記電池より前記ワイヤを介して電力供給を行うよう前記切替回路により切り替える電力バックアップ手段と、前記切替回路から前記センササーバへ停電状態であることを知らせるコマンドを送信し、前記コマンドを受けて前記センササーバが外部へメッセージを送信する送信手段とを有することを特徴とする監視コントローラを提供する。
【０００９】
このような構成によれば、バックアップ電源をＩ／Ｏ部と別体にしたことにより、（１）の効果に加え、Ｉ／Ｏ部に関しても配置の自由度が向上する。
【００１０】
（３）また、本発明は上記目的を達成するため、各部を統括して制御可能で外部と通信可能なセンササーバと、接点センサおよび機器の電源を制御可能なＩ／Ｏ部と充電可能な電池と前記電池を充電する充電回路と給電状態および充電状態を制御する切替回路とを有する複数のバックアップ電源と、ＤＣ電源を供給可能な電源回路と、認証操作によって監視状態を切り替え可能な認証部と、温度および湿度を測定可能なセンサとを有する監視コントローラであって、電力供給および情報通信可能なワイヤで接続された前記センササーバと前記複数のバックアップ電源と前記認証部と前記センサに対し、通常は前記電源回路が接続された装置より前記ワイヤを介して電力供給し、停電時には前記複数のバックアップ電源内の前記電池より前記ワイヤを介して電力供給を行うよう前記切替回路により切り替える電力バックアップ手段と、前記切替回路から前記センササーバへ停電状態であることを知らせるコマンドを送信し、前記コマンドを受けて前記センササーバが外部へメッセージを送信する送信手段とを有することを特徴とする監視コントローラを提供する。
【００１１】
このような構成によれば、複数のバックアップ電源を設けたことにより、（１）の効果に加え、停電時の電源バックアップ時間が向上し、監視状態の信頼度が向上する。また、Ｉ／Ｏ部を複数設けた場合の消費電力増大に対応できるものとなる。
【発明の効果】
【００１２】
本発明によれば、監視コントローラの各部を自由に設置でき、停電時にも監視、および警報の発信が可能となる。
【発明を実施するための最良の形態】
【００１３】
〔第１の実施の形態〕
以下に、本発明の監視コントローラの第１の実施の形態を図面を参考にして詳細に説明する。
【００１４】
（監視コントローラの構成）
図１は、本発明の第１の実施の形態に関する監視コントローラの構成を示す概略図である。
【００１５】
この監視コントローラ１は、内部にＣＰＵ（Ｃｅｎｔｒａｌ  Ｐｒｏｃｅｓｓｉｎｇ  Ｕｎｉｔ）等の制御部やＳＲＡＭ（Ｓｔａｔｉｃ  Ｒａｎｄｏｍ  Ａｃｃｅｓｓ  Ｍｅｍｏｒｙ）等の記憶媒体を有し外部との接続端子としてＬＡＮケーブル２０２が接続されたイーサネット（登録商標）端子１０２とＲＳ−２３２Ｃ端子１０３と入出力端子１００とを有するセンササーバ１０（送信手段）と、１〜４Ｃｈにより各センサのＯＮ／ＯＦＦ状態を判別して５〜８Ｃｈにより外部機器の電源ＯＮ／ＯＦＦを制御可能なＩ／Ｏ部としての接点ユニット１１を含み電源として機能するバックアップ電源ユニット３０Ａと、音声ユニット付きの認証キーソケット１２と、ドアの開閉を検知する有線のドアセンサ１３と、窓センサ１４と、各無線センサの信号を受信する無線受信部１５と、ドアの開閉を検知する無線の窓センサ１６と、非常スイッチ１７と、温度および湿度を測定可能な温湿度センサ１８とを有する。
【００１６】
バックアップ電源ユニット３０Ａは、接点ユニット１１と、停電時に使用される電池３００と、電池３００を充電するための充電回路３０１と、通常の電源と非常用の電池３００の切替を行う切替回路３０２（電力バックアップ手段）と、ＡＣ電源から５ＶのＤＣ電源を作り出すスイッチング電源部３０３と、ＡＣ電源のノイズを除去するノイズフィルタ３０４と、ＡＣ１００Ｖのコンセントに接続可能な電源コネクタ３０５とを有する。
【００１７】
センササーバ１０、接点ユニット１１を含むバックアップ電源ユニット３０Ａ、認証キーソケット１２、および温湿度センサ１８はそれぞれ電力供給および信号送信が可能な１−ＷＩＲＥ２０１にて接続されている。バックアップ電源ユニット３０Ａより１−ＷＩＲＥ２０１を介して各部に電力供給が可能である。また、１−ＷＩＲＥ２０１は、分岐コネクタ２０１Ａにより分岐が可能である。
【００１８】
ドアセンサ１３、窓センサ１４、窓センサ１６、および非常スイッチ１７が設置された設備は監視され、各センサからの信号は接点ユニット１１、およびＲＳ−２３２Ｃ端子１０３を介しセンササーバ１０に送信され、異常ログは内部の記憶装置に記録されて、ＬＡＮケーブル２０２を介して外部ネットワーク上の機器に情報送信が可能である。監視の実行、および解除は認証キーソケット１２に図示しない専用の認証キーを用いて照合することで変更可能である。
【００１９】
図２は、本発明の第１の実施の形態に関する１−ＷＩＲＥの構成を示すブロック図である。
【００２０】
１−ＷＩＲＥ２０１は、電源供給のためのＤＣ５Ｖライン２０１ａと、各部の通信のための信号ライン２０１ｂと、グランドに設置されたＧＮＤライン２０１ｃによって構成され、電力供給および信号通信が可能である。
【００２１】
（第１の実施の形態の動作）
以下に、本発明の第１の実施の形態における監視コントローラの動作を図１から図２を参照しつつ説明する。
【００２２】
図示しないＡＣ１００Ｖのコンセントに電気的に接続された電源コネクタ３０５よりＡＣ電力が供給され、ノイズフィルタ３０４によりノイズが除去される。ノイズが除去されたＡＣ電源は、次にスイッチング電源部３０３によりＤＣ電源に変換され、切替回路３０２へと送られる。
【００２３】
通常状態においては、切替回路３０２は、電源コネクタ３０５の接続先の電源よりノイズフィルタ３０４、スイッチング電源部３０３を介して電力を接点ユニット１１へ供給し、バックアップ電源ユニット３０Ａより１−ＷＩＲＥ２０１のＤＣ５Ｖライン２０１ａとＧＮＤライン２０１ｃを介して、センササーバ１０、認証キーソケット１２、および温湿度センサ１８に電力を供給する。また、同時に切替回路３０２は、充電回路３０１へ電力を供給し電池３００を充電する。
【００２４】
停電等で電源コネクタ３０５に電力が供給されない状態において、切替回路３０２は、電池３００より電力を接点ユニット１１へ供給し、１−ＷＩＲＥ２０１のＤＣ５Ｖライン２０１ａとＧＮＤライン２０１ｃを介して、センササーバ１０、認証キーソケット１２、および温湿度センサ１８に供給する。
【００２５】
停電等により、電源が電池３００に切り替わった場合は、切替回路３０２により１−ＷＩＲＥ２０１を介してセンササーバ１０に停電であることを知らせるコマンドを送信する。センササーバ１０は、コマンドを受信すると停電であることを伝えるメッセージをＬＡＮケーブル２０２を介し外部へ発信する。停電等により図示しないルータ等に電力が供給されず、ＬＡＮケーブル２０２を介した通信が不可能である場合は、センササーバ１０に設けられた図示しない接続端子により携帯型通信機器を接続し、無線にて外部に送信することが可能である。
【００２６】
（第１の実施の形態の効果）
上記した実施の形態によると、接点ユニット１１をバックアップ電源ユニット３０Ａと一体化させ、接点ユニット１１をコンセントの近くに設置することで、残りの各部は１−ＷＩＲＥ２０１で接続して電力供給および信号通信が可能となるため、設置の自由度が向上する。
【００２７】
また、電池３００を設置したため、停電時等で電力が供給されない場合にバックアップ電源を供給することで監視の継続が可能になるだけでなく、センササーバ１０は停電であることを外部に知らせる無線通信機能を有するため、停電中も発報可能となる。
【００２８】
〔第２の実施の形態〕
（第２の実施の形態の構成）
図３は、本発明の第２の実施の形態に関する監視コントローラの構成を示す概略図である。なお、以下の説明において、第１の実施の形態と同一の構成および機能を有する部分については共通の符号を付している。
【００２９】
監視コントローラ１は、電源およびバックアップ電源を有するバックアップ電源ユニット３０Ｂと、Ｉ／Ｏ部としての接点ユニット１１を有する。
【００３０】
センササーバ１０、接点ユニット１１、バックアップ電源ユニット３０Ｂ、認証キーソケット１２、および温湿度センサ１８はそれぞれ電力供給および信号送信が可能な１−ＷＩＲＥ２０１にて接続されている。
【００３１】
バックアップ電源ユニット３０Ｂは、停電時に使用される電池３００と、電池３００を充電するための充電回路３０１と、通常の電源と非常用の電池３００の切替を行う切替回路３０２と、ＡＣ電源から５ＶのＤＣ電源を作り出すスイッチング電源部３０３と、ＡＣ電源のノイズを除去するノイズフィルタ３０４と、ＡＣ１００Ｖのコンセントに接続可能な電源コネクタ３０５とを有する。
【００３２】
（第２の実施の形態の動作）
以下に、本発明の第２の実施の形態における監視コントローラの動作を図３および各図を参照しつつ説明する。
【００３３】
通常状態においては、切替回路３０２は、電源コネクタ３０５の接続先の電源よりノイズフィルタ３０４、スイッチング電源部３０３、および１−ＷＩＲＥ２０１のＤＣ５Ｖライン２０１ａとＧＮＤライン２０１ｃを介して、接点ユニット１１、センササーバ１０、認証キーソケット１２、および温湿度センサ１８に電力を供給する。また、同時に切替回路３０２は、充電回路３０１へ電力を供給し電池３００を充電する。
【００３４】
停電等で電源コネクタ３０５に電力が供給されない状態において、切替回路３０２は、電池３００より１−ＷＩＲＥ２０１のＤＣ５Ｖライン２０１ａとＧＮＤライン２０１ｃを介して、センササーバ１０、接点ユニット１１、認証キーソケット１２、および温湿度センサ１８に電力を供給する。
【００３５】
（第２の実施の形態の効果）
上記した実施の形態によると、バックアップ電源ユニット３０Ｂが電源として独立して構成されることにより、各部の設置について自由度が向上する。
【００３６】
また、バックアップ電源ユニット３０Ｂと接点ユニット１１を別体として構成したことにより、一方に故障が起きた場合の交換作業の効率化、および故障点検の効率化が図られる。
【００３７】
なお、バックアップ電源ユニット３０Ｂは、接点ユニット１１に接続されていなくとも、１−ＷＩＲＥ２０１で接続されるいずれかの装置に接続されていれば各部へ電力を供給できるため、接続箇所は特に限定しない。
【００３８】
〔第３の実施の形態〕
（第３の実施の形態の構成）
図４は、本発明の第３の実施の形態に関する監視コントローラの構成を示す概略図である。
【００３９】
監視コントローラ１は、電源コネクタ３０５とノイズフィルタ３０４とスイッチング電源部３０３とからなる電源が接続されたセンササーバ１０と、接点ユニット１１と電池３００と充電回路３０１と切替回路３０２とからなる複数のバックアップ電源ユニット３０Ｃとを有する。
【００４０】
センササーバ１０、バックアップ電源ユニット３０Ｃ、認証キーソケット１２、および温湿度センサ１８はそれぞれ電力供給および信号送信が可能な１−ＷＩＲＥ２０１にて接続されている。
【００４１】
なお、各バックアップ電源ユニット３０Ｃは、Ｃｈ１〜４に任意の図示しない接点センサを接続できるものとする。また、センササーバ１０は、ＲＳ−２３２Ｃ端子１０３を介して、図示しない無線受信部を設置できるものとする。
【００４２】
（第３の実施の形態の動作）
以下に、本発明の第３の実施の形態における監視コントローラの動作を図４および各図を参照しつつ説明する。
【００４３】
通常状態においては、センササーバ１０に接続された電源コネクタ３０５、ノイズフィルタ３０４、およびスイッチング電源部３０３によりセンササーバ１０に電力が供給され、センササーバ１０と１−ＷＩＲＥ２０１を介して接続された各部へ電力が供給される。
【００４４】
切替回路３０２は、１−ＷＩＲＥ２０１のＤＣ５Ｖライン２０１ａとＧＮＤライン２０１ｃを介して、充電回路３０１へ電力を供給し電池３００を充電する。
【００４５】
停電等で電源コネクタ３０５に電力が供給されない状態において、切替回路３０２は、電池３００より１−ＷＩＲＥ２０１のＤＣ５Ｖライン２０１ａとＧＮＤライン２０１ｃを介して、センササーバ１０、接点ユニット１１、認証キーソケット１２、および温湿度センサ１８に電力を供給する。各電池３００は、各切替回路３０２により並列に接続され定格電圧５Ｖで電力を供給する。
【００４６】
（第３の実施の形態の効果）
上記した実施の形態によると、監視コントローラ１は、複数の電池３００を有するため、停電時に電池３００で連続駆動可能な時間が増加し、セキュリティ信頼度が向上する。
【００４７】
なお、電源コネクタ３０５、ノイズフィルタ３０４、およびスイッチング電源部３０３からなる電源部は、１−ＷＩＲＥ２０１で接続されている装置であれば各部いずれに接続されていてもよい。また、図３に示すバックアップ電源ユニット３０Ｂを電源部として使用してもよい。また、以上に説明した第１から第３の実施の形態の組み合わせに基づく構成において、同様の効果が得られるものがあれば、その構成を用いてもかまわない。
【図面の簡単な説明】
【００４８】
【図１】本発明の第１の実施の形態に関する監視コントローラの構成を示す概略図である。
【図２】本発明の第１の実施の形態に関する１−ＷＩＲＥの構成を示すブロック図である。
【図３】本発明の第２の実施の形態に関する監視コントローラの構成を示す概略図である。
【図４】本発明の第３の実施の形態に関する監視コントローラの構成を示す概略図である。
【符号の説明】
【００４９】
１…監視コントローラ、１０…センササーバ、１１…接点ユニット、１２…認証キーソケット、１３…ドアセンサ、１４…窓センサ、１５…無線受信部、１６…窓センサ、１７…非常スイッチ、１８…温湿度センサ、３０Ａ…バックアップ電源ユニット、３０Ｂ…バックアップ電源ユニット、３０Ｃ…バックアップ電源ユニット、１００…入出力端子、１０２…イーサネット（登録商標）端子、１０３…ＲＳ−２３２Ｃ端子、２０１…１−ＷＩＲＥ、２０１ａ…ＤＣ５Ｖライン、２０１ｂ…信号ライン、２０１ｃ…ＧＮＤライン、２０１Ａ…分岐コネクタ、２０２…ＬＡＮケーブル、３００…電池、３０１…充電回路、３０２…各切替回路、３０２…切替回路、３０３…スイッチング電源部、３０４…ノイズフィルタ、３０５…電源コネクタ
【図１】
2007293661.tif 000003
【図２】
2007293661.tif 000004
【図３】
2007293661.tif 000005
【図４】
2007293661.tif 000006